【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  プリント媒体に対して、顔料を水性媒体中に分散状態で含むインクを付与した後、前記インクと反応する処理液を付与するインクジェットプリント装置であって、
該インクは、第１の顔料として、少なくとも１つのアニオン性基が直接もしくは他の原子団を介して該第１の顔料の表面に結合されている自己分散型顔料または少なくとも１つのカチオン性基が直接もしくは他の原子団を介して該第１の顔料の表面に結合されている自己分散型顔料と、第２の顔料としての高分子分散剤によって該水性媒体に分散させることができる顔料と、該第１の顔料の表面に結合されている基と同極性の高分子分散剤およびノニオン性の高分子分散剤の少なくとも一方と、を含むインクであって、
前記インクと前記処理液とをそれぞれ別々にプリント媒体に付与し、該プリント媒体において該インクと該処理液とをそれぞれ液状で混合させる付与手段を具えたことを特徴とするインクジェットプリント装置。
【請求項２】  プリント媒体に対して、顔料を水性媒体中に分散状態で含むインクを付与した後、前記インクと反応する処理液を付与するインクジェットプリント装置であって、
該インクは、第１の顔料として、少なくとも１つのアニオン性基が直接もしくは他の原子団を介して該第１の顔料の表面に結合されている自己分散型顔料または少なくとも１つのカチオン性基が直接もしくは他の原子団を介して該第１の顔料の表面に結合されている自己分散型顔料と、第２の顔料としての高分子分散剤によって該水性媒体に分散させることができる顔料と、該第１の顔料の表面に結合されている基と同極性の高分子分散剤およびノニオン性の高分子分散剤の少なくとも一方と、を含むインクであって、
前記インクと前記処理液とをそれぞれ別々にプリント媒体に付与し、該プリント媒体において該インクに該処理液を液状で混合させるとともに、該プリント媒体上で混合した該インクと該処理液とに対して、さらに前記インクを該プリント媒体において液状で混合させる付与手段を具えたことを特徴とするインクジェットプリント装置。
【請求項３】  顔料を水性媒体中に分散状態で含むインクを吐出するインク吐出部と、該インクと反応する処理液を吐出する処理液吐出部とを用い、プリント媒体に該インクを吐出した後、該処理液を吐出してプリントを行うインクジェットプリント装置であって、
該インクは、第１の顔料として、少なくとも１つのアニオン性基が直接もしくは他の原子団を介して該第１の顔料の表面に結合されている自己分散型顔料または少なくとも１つのカチオン性基が直接もしくは他の原子団を介して該第１の顔料の表面に結合されている自己分散型顔料と、第２の顔料としての高分子分散剤によって該水性媒体に分散させることができる顔料と、該第１の顔料の表面に結合されている基と同極性の高分子分散剤およびノニオン性の高分子分散剤の少なくとも一方と、を含むインクであり、
該インクジェットプリント装置は、前記インク吐出部が該インクを吐出する少なくとも１つの顔料インク吐出部を含み、該顔料インク吐出部と前記処理液吐出部とを所定の位置関係で配設する吐出部の配設手段と、該配設手段に配設される各吐出部とプリント媒体とを相対的に移動させるとともに、それぞれの吐出部から該インクおよび処理液をそれぞれ吐出させ、プリント媒体において該インクおよび該処理液を混合させる制御手段と、を具えたことを特徴とするインクジェットプリント装置。
【請求項４】  前記アニオン性基が、下記に示すアニオン性基の中から選択される少なくとも１つである請求項１〜３の何れかに記載のインクジェットプリント装置。
−ＣＯＯＭ、−ＳＯ3Ｍ、−ＰＯ3ＨＭ及び−ＰＯ3Ｍ2
（ここで、これらのＭはそれぞれ独立して、水素原子か、アルカリ金属か、アンモニウムか、あるいは有機アンモニウムを表わす。）
【請求項５】  前記原子団は、炭素数１〜１２のアルキル基か、置換基を有してもよいフェニル基か、あるいは置換基を有してもよいナフチル基である請求項１〜４の何れかに記載のインクジェットプリント装置。
【請求項６】  該第１の顔料と第２の顔料との比率が９／１〜４／６の範囲である請求項１〜５の何れかに記載のインクジェットプリント装置。
【請求項７】  該第１の顔料を該第２の顔料よりも多く含む請求項１〜６の何れかに記載のインクジェットプリント装置。
【請求項８】  該インクが更に該第１の顔料の表面に結合されている基と同一の極性の染料を含んでいる請求項１〜７の何れかに記載のインクジェットプリント装置。
【請求項９】  該処理液が、該第１の顔料の表面に結合されている基と反対極性の基を１つ有する第１の化合物と、該第１の顔料の表面に結合されている基と反対極性の基を複数個有する第２の化合物とを含む請求項１〜８の何れかに記載のインクジェットプリント装置。
【請求項１０】  該第１の化合物が塩化ベンザルコニウムであり、該第２の化合物がポリアリルアミンである請求項９記載のインクジェットプリント装置。
【請求項１１】  プリント媒体上に画像を記録する工程を含むインクジェットプリント方法において、
インクをインクジェット記録方法を用いてプリント媒体上に付着させる第１の工程；および該インクとの反応性を有する処理液を該プリント媒体上に付着させる第２の工程；を含み、
該インクは、第１の顔料及び第２の顔料を水性媒体中に分散状態で含み、該第１の顔料が少なくとも１つのアニオン性の基が直接もしくは他の原子団を介して該第１の顔料の表面に結合されている自己分散型の顔料もしくは少なくとも１つのカチオン性の基が直接もしくは他の原子団を介して該第１の顔料の表面に結合されている自己分散型の顔料であり、該第２の顔料が高分子分散剤によって該水性媒体に分散させることのできる顔料であり、該インクは更に該第１の顔料の表面に結合されている基と同極性の高分子分散剤及びノニオン性の高分子分散剤の少なくとも一方を含むインクであり、また該第２の工程は該プリント媒体上で該インクと該処理液とが液体状態で接する様に行うことを特徴とするインクジェットプリント方法。
【請求項１２】  該インクを該プリント媒体上の該インクと該処理液との混合液に対して液体状態で混合される様に該プリント媒体上に付与する第３の工程を更に含む請求項１１記載のインクジェットプリント方法。
【請求項１３】  前記アニオン性基が、下記に示すアニオン性基の中から選択される少なくとも１つである請求項１１または１２に記載のインクジェットプリント方法。
−ＣＯＯＭ、−ＳＯ3Ｍ、−ＰＯ3ＨＭ及び−ＰＯ3Ｍ2
（これらのＭはそれぞれ独立して水素原子か、アルカリ金属か、アンモニウムか、あるいは有機アンモニウムを表わす。）
【請求項１４】  前記原子団は、炭素数１〜１２のアルキル基か、置換基を有してもよいフェニル基か、あるいは置換基を有してもよいナフチル基である請求項１１〜１３の何れかに記載のインクジェットプリント方法。
【請求項１５】  該第１の顔料と第２の顔料との比率が９／１〜４／６の範囲である請求項１１〜１４の何れかに記載のインクジェットプリント方法。
【請求項１６】  該第１の顔料を該第２の顔料よりも多く含む請求項１１〜１５の何れかに記載のインクジェットプリント方法。
【請求項１７】  該インクが更に該第１の顔料の表面に結合されている基と同一の極性の染料を含んでいる請求項１１〜１６の何れかに記載のインクジェットプリント方法。
【請求項１８】  該処理液が、該第１の顔料の表面に結合されている基と反対極性の基を１つ有する第１の化合物と、該第１の顔料の表面に結合されている基と反対極性の基を複数個有する第２の化合物とを含む請求項１１〜１７の何れかに記載のインクジェットプリント方法。
【請求項１９】  該第１の化合物が塩化ベンザルコニウムであり、該第２の化合物がポリアリルアミンである請求項１８記載のインクジェットプリント方法。
【手続補正２】
【補正対象書類名】明細書
【補正対象項目名】００１３
【補正方法】変更
【補正の内容】
【００１３】
また上記の目的を達成することのできる本発明の一実施態様にかかるインクジェットプリント方法は、プリント媒体上に画像を記録する工程を含むインクジェットプリント方法において、
インクをインクジェット記録方法を用いてプリント媒体上に付着させる第１の工程；および該インクとの反応性を有する処理液を該プリント媒体上に付着させる第２の工程；を含み、
該インクは、第１の顔料及び第２の顔料を水性媒体中に分散状態で含み、該第１の顔料が少なくとも１つのアニオン性の基が直接もしくは他の原子団を介して該第１の顔料の表面に結合されている自己分散型の顔料もしくは少なくとも１つのカチオン性の基が直接もしくは他の原子団を介して該第１の顔料の表面に結合されている自己分散型の顔料であり、該第２の顔料が高分子分散剤によって該水性媒体に分散させることのできる顔料であり、該インクは更に該第１の顔料の表面に結合されている基と同極性の高分子分散剤及びノニオン性の高分子分散剤の少なくとも一方を含むインクであり、また該第２の工程は該プリント媒体上で該インクと該処理液とが液体状態で接する様に行うことを特徴とするものである。
【手続補正３】
【補正対象書類名】明細書
【補正対象項目名】００２３
【補正方法】変更
【補正の内容】
【００２３】
このようなカーボンブラックに結合されているアニオン性基の例としては、例えば、−ＣＯＯＭ、−ＳＯ3Ｍ、−ＰＯ3ＨＭ、−ＰＯ3Ｍ2等（但し、式中のＭは水素原子、アルカリ金属、アンモニウム、または、有機アンモニウムを表わし、Ｒは炭素数１〜１２の直鎖状または分岐鎖状のアルキル基、置換もしくは未置換のフェニル基又は置換もしくは未置換のナフチル基を表わす）が挙げられる。ここでＲが置換基を有するフェニル基、又は置換基を有するナフチル基である場合の置換基としては、例えば炭素数１〜６の直鎖若しくは分岐鎖状のアルキル基等が挙げられる。
【手続補正４】
【補正対象書類名】明細書
【補正対象項目名】００２６
【補正方法】変更
【補正の内容】
【００２６】
ところで上記した種々のアニオン性基は他の原子団を介してカーボンブラックの表面に結合したものを用いることが好ましい。他の原子団としては、例えば、炭素原子１〜１２の直鎖状もしくは未置換のアルキレン基、置換もしくは未置換のフェニレン基又は置換もしくは未置換のナフチレン基が挙げられる。ここでフェニレン基やナフチレン基に結合していてもよい置換基の例としては、炭素数１〜６の直鎖状もしくは分岐鎖状のアルキル基等が挙げられる。
【手続補正５】
【補正対象書類名】明細書
【補正対象項目名】００９３
【補正方法】変更
【補正の内容】
【００９３】
［処理液］
グリセリン                                  ７部
ジエチレングリコール                        ５部
アセチレノール  ＥＨ                        ２部
（川研ファインケミカル製）
ポリアリルアミン                            ４部
（分子量：１５００以下、平均値約１０００）
酢酸                                      ４部
塩化ベンザルコニウム                        ０．５部
トリエチレングリコールモノブチルエーテル    ３部
水                                          残部
［イエロー（Ｙ）インク］
Ｃ．Ｉ．ダイレクトイエロー８６                ３部
グリセリン                                    ５部
ジエチレングリコール                          ５部
アセチレノール  ＥＨ                          １部
（川研ファインケミカル製）
水                                              残部
【手続補正６】
【補正対象書類名】明細書
【補正対象項目名】０１０３
【補正方法】変更
【補正の内容】
【０１０３】
（実施例１−２）
上記実施例１−１において、処理液およびブラックインクの組成を下記の様に代えた以外は実施例１−１と同様にして実験を行った。
［処理液］
グリセリン                                    ７部
ジエチレングリコール                          ５部
アセチレノール  ＥＨ                          ２部
（川研ファインケミカル製）
塩化ベンザルコニウム                          ４部
トリエチレングリコールモノブチルエーテル    ３部
水                                            残部
【手続補正７】
【補正対象書類名】明細書
【補正対象項目名】０１０５
【補正方法】変更
【補正の内容】
【０１０５】
（実施例１−３）
上記実施例１−１において、処理液およびブラックインクの組成を下記の様に代えた以外は実施例１−１と同様にして実験を行った。
［処理液］
グリセリン                                  ７部
ジエチレングリコール                        ５部
アセチレノール  ＥＨ                        ２部
（川研ファインケミカル製）
ポリアリルアミン                            ０．５部
（分子量：１５００以下、平均値約１０００）
酢酸                                        ０．５部
塩化ベンザルコニウム                        ４部
トリエチレングリコールモノブチルエーテル    ３部
水                                          残部
【手続補正８】
【補正対象書類名】明細書
【補正対象項目名】０１２４
【補正方法】変更
【補正の内容】
【０１２４】
本実施例で使用する第１、第２のインク及び処理液の組成は下記の通りである。
［処理液］
グリセリン                                  ７部
ジエチレングリコール                        ５部
アセチレノール  ＥＨ                        ２部
（川研ファインケミカル製）
ポリアリルアミン                            ４部
（分子量：１５００以下、平均値約１０００）
酢酸                                        ４部
塩化ベンザルコニウム                        ０．５部
トリエチレングリコールモノブチルエーテル    ３部
水                                          残部